(57)【特許請求の範囲】
【請求項１】
複数のアプリケーションが格納されたＩＣカード内に格納された複数の残高情報を表示する表示装置において、
該ＩＣカードのディレクトリーファイル内または該ＩＣカードのアンサー・ツウ・リセットファイル内に統一された書式の文字コード情報で格納された該複数のアプリケーションに対応した複数の残高情報を表示するために、表示に関する指示を入力する入力手段と、
該ＩＣカード内の残高情報の読み取り及び書き込みを行うＩＣカード読み書き手段と、
該残高情報を表示する表示手段と、
該ＩＣカード読み書き手段を制御して該複数の残高情報を該ＩＣカードから読み取り、該入力手段からの指示によって特定された該残高情報を該表示手段に該文字コード情報に対応した残高情報として表示させる制御プログラムを有する制御手段と、を設け、
該ＩＣカードに新たにアプリケーションを追加した場合でも該表示装置の該制御プログラムを変更する必要がないように構成したことを特徴とする表示装置。
【請求項２】
前記複数の残高情報の少なくとも１つは、金額情報であることを特徴とする請求項１記載の表示装置。
【請求項３】
前記複数の残高情報は、暗号化された文字コード情報で該ＩＣカードに格納されることを特徴とする請求項１または２の何れか１つに記載の表示装置。
【請求項４】
複数のアプリケーションが格納されたＩＣカード内に格納された複数の残高情報を表示する表示装置において、
該ＩＣカードのディレクトリーファイル内または該ＩＣカードのアンサー・ツウ・リセットファイル内に統一された書式の文字コード情報で格納された該複数のアプリケーションに対応した複数の残高情報を表示するために、表示に関する指示を入力する入力手段と、
該ＩＣカード内の残高情報の読み取りを行うＩＣカード読み取り手段と、
該残高情報を表示する表示手段と、
該ＩＣカード読み取り手段を制御して該複数の残高情報を該ＩＣカードから読み取り、該入力手段からの指示によって特定された該残高情報を該表示手段に該文字コード情報に対応した残高情報として表示させる制御プログラムを有する制御手段と、を設け、
該ＩＣカードに新たにアプリケーションを追加した場合でも該表示装置の該制御プログラムを変更する必要がないように構成したことを特徴とする表示装置。
【請求項５】
表示に関する指示を入力する入力手段と、ＩＣカード内の残高情報の読み取り及び書き込みを行うＩＣカード読み書き手段と、該残高情報を表示する表示手段と、該ＩＣカード読み書き手段を制御して該複数の残高情報をＩＣカードから読み取り、該入力手段からの指示によって特定された該残高情報を該表示手段に表示させる制御プログラムを有する制御手段とを有する表示装置において表示可能な、複数のアプリケーションと複数の残高情報を格納するＩＣカードにおいて、
該複数の残高情報は、ＩＣカードのディレクトリーファイル内または該ＩＣカードのアンサー・ツウ・リセットファイル内に統一された書式の文字コード情報で格納されており、
該入力手段からの指示によって特定された該複数のアプリケーションに対応した該残高情報を、該ＩＣカード読み書き手段により該ＩＣカードから読み取られ、該表示装置の該制御プログラムにより該読み取られた該文字コード情報に対応した残高情報として表示されることを特徴とするＩＣカード。
【請求項６】
前記複数の残高情報の少なくとも１つは、金額情報であることを特徴とする請求項５記載のＩＣカード。
【請求項７】
前記複数の残高情報は、暗号化された文字コード情報で該ＩＣカードに格納されることを特徴とする請求項５または６の何れか１つに記載のＩＣカード。
【発明の詳細な説明】
【０００１】
【発明の属する技術分野】
本発明は、ＩＣカード内に電子マネー情報やプレミアムポイント情報などの複数のアプリケーション情報を格納して、表示装置でこれらの情報を順次表示させることが可能なＩＣカード、表示装置、端末装置およびこれらを用いたシステムに関するものである。
【０００２】
【従来の技術】
現在、ユーザーが商品を購入すると購入した金額に応じてプレミアムポイント情報を販売店が発行して、ユーザーが後日、蓄えたポイント情報を商品と引き替えることができるプレミアムポイントサービスが普及している。これは、商品を頻繁に購入する特定ユーザーに対するサービスとして行われているが、現在は磁気カードなどを用いて販売店毎にサービスを行っているため、ユーザーは複数の販売店のポイントカードを持たなければならない。
【０００３】
一方、特開平３−９２９６６に記載されているように、ＩＣカードを使用した電子財布システムにより商取引の完全なキャッシュレス化が検討されている。これは、ＩＣカード内のメモリに任意に指定された金額情報を書き込み、精算時にはこのＩＣカードから必要な金額情報を送信することで、現金を用いずに商取引を完了させることができるシステムである。
【０００４】
【発明が解決しようとする課題】
この電子財布システムによる商取引が実現した場合、ＩＣカード内には電子マネー情報と共に様々なアプリケーションデータを持たせることができるため、例えば、上記プレミアムポイント情報などもＩＣカードに格納し、表示装置で電子マネー情報と共にポイント情報を表示させることが可能である。
【０００５】
その結果、従来、ユーザーは販売店毎のカードを携帯し、カードのデータを読み取るためにはそれぞれ専用の表示装置が必要であったが、上記ＩＣカードを用いることにより、１台の表示装置で複数のアプリケーションデータを表示させることが可能となる。
【０００６】
しかしながら、残高表示器のように表示パネル、キー等の機能が限られた携帯端末においては、複数のアプリケーション情報を区別して表示させたり、ユーザーが所望のアプリケーション情報を選択するのが困難である。また、ＩＣカードにアプリケーションを新たに追加した場合は、表示装置側も表示制御のプログラムを追加する必要があり、従来は表示装置側でフラッシュメモリ等を使用した対応が不可欠であった。フラッシュメモリは高価であるため、安価な装置では用いることができない。
【０００７】
本発明の目的は、残高表示器のように安価で限られた機能を持つ小型端末において、ＩＣカードに新たなアプリケーションを追加しても、表示装置側にプログラム等を加えることなく新たなアプリケーション情報を表示させ、上記ＩＣカードに対応して書き換えるＩＣカード、表示装置、端末装置およびこれらを用いたシステムを提供することである。
【０００８】
【課題を解決するための手段】
上記目的を達成するために、本発明では、ＩＣカード内に格納された複数の残高情報を表示する表示装置において、表示に関する指示を入力する入力手段と、該ＩＣカード内の残高情報の読み取り及び書き込みを行うＩＣカード読み書き手段と、該残高情報を表示する表示手段と、該ＩＣカード読み書き手段を制御して該複数の残高情報を該ＩＣカードから読み取り、該入力手段からの指示によって特定された該残高情報を該表示手段に表示させる制御手段から構成する。
【０００９】
そして、前記複数の残高情報を統一された規格の文字コード情報で該ＩＣカード内に格納して、かつ該表示手段には、該文字コード情報に対応した情報を表示させる。また、該残高情報を該ＩＣカードのディレクトリーファイル内やアンサー・ツウ・リセットファイル内などの特定エリアに格納する。
【００１０】
また、複数のアプリケーション情報を格納するためのメモリ手段を有してなるＩＣカードであって、前記メモリ手段は第一のメモリ部と第二のメモリ部を有してなり、前記複数のアプリケーション情報は、前記第一のメモリ部に、それぞれのアプリケーション情報に対応したプログラムにより読み書きされるデータとして格納され、前記第一のメモリ部に格納されたデータに基づいて作成されたデータが前記第二のメモリ部に格納され、前記第二のメモリ部に格納されたデータは複数のアプリケーションに共通のプログラムにより読み出される構成とする。
【００１１】
また、 ＩＣカードに格納された複数のアプリケーション情報を表示する表示装置であって、前記ＩＣカードとして、複数のアプリケーション情報を格納するためのメモリ手段を有し、前記メモリ手段は第一のメモリ部と第二のメモリ部を有し、前記複数のアプリケーション情報は、前記第一のメモリ部に、それぞれのアプリケーション情報に対応したプログラムにより読み書きされるデータとして格納され、前記第一のメモリ部に格納されたデータに基づいて作成されたデータが前記第二のメモリ部に格納され、前記第二のメモリ部に格納されたデータは複数のアプリケーションに共通のプログラムにより読み出されるものが用いられ、前記ＩＣカードのアプリケーション情報を読み取るＩＣカード読み取り手段と、前記アプリケーション情報を表示する表示手段と、前記ＩＣカード読み取り手段を制御して、前記第二のメモリ部に格納された複数のアプリケーション情報から特定の情報を前記共通のプログラムで読み取り、前記表示手段に表示させる制御手段とを備えた構成とする。
【００１２】
また、ＩＣカードに格納された複数のアプリケーション情報の読み書きをする端末装置であって、前記ＩＣカードとして、複数のアプリケーション情報を格納するためのメモリ手段を有し、前記メモリ手段は第一のメモリ部と第二のメモリ部を有し、前記複数のアプリケーション情報は、前記第一のメモリ部に、それぞれのアプリケーション情報に対応したプログラムにより読み書きされるデータとして格納され、前記第一のメモリ部に格納されたデータに基づいて作成されたデータが前記第二のメモリ部に格納され、前記第二のメモリ部に格納されたデータは複数のアプリケーションに共通のプログラムにより読み出されるものが用いられ、前記ＩＣカードに格納されたのアプリケーション情報の読み取り及び書込みを行なうＩＣカード読み書き手段と、記録更新に関する指示を入力する入力手段と、記録書き換え時において前記入力手段からの指示によって特定された前記アプリケーション情報の前記第一のメモリ部に格納されたデータを前記ＩＣカード読み書き手段により更新する制御手段とを備えた構成とする。
【００１３】
また、 ＩＣカード、表示装置および端末装置を含んでなるＩＣカードシステムであって、前記ＩＣカードは、複数のアプリケーション情報を格納するためのメモリ手段を有してなり、前記メモリ手段は第一のメモリ部と第二のメモリ部を有し、前記複数のアプリケーション情報は、前記第一のメモリ部に、それぞれのアプリケーション情報に対応したプログラムにより読み書きされるデータとして格納され、前記第一のメモリ部に格納されたデータに基づいて作成されたデータが前記第二のメモリ部に格納され、前記第二のメモリ部に格納されたデータは複数のアプリケーションに共通のプログラムにより読み出されるものが用いられ、前記表示装置は、ＩＣカードに格納された複数のアプリケーション情報を表示し、前記ＩＣカードのアプリケーション情報を読取るＩＣカード読み取り手段と、前記アプリケーション情報を表示する表示手段と、前記ＩＣカード読み取り手段を制御して、前記第二のメモリ部に格納された複数のアプリケーション情報から特定の情報を前記共通のプログラムで読み取り、前記表示手段に表示させる制御手段とを備えてなるものが用いられ、前記端末装置は、ＩＣカードに格納された複数のアプリケーション情報の読み書きし、前記ＩＣカードに格納されたアプリケーション情報の読み取り及び書き込みを行なうＩＣカード読み書き手段と、記録更新に関する指示を入力する入力手段と、記録書換時において前記入力手段からの指示によって特定された前記アプリケーション情報の前記第一のメモリ部に格納されたデータを前記ＩＣカード読み書き手段により更新する制御手段とを備えてなるものが用いられる構成とする。
【００１４】
以上により、ユーザーは１枚のＩＣカードに電子マネー情報やプレミアムポイント情報などの複数のアプリケーション情報を格納することが可能となり、１台の表示装置でこれらのアプリケーション情報をユーザーが選択して表示させることが可能となる。また、表示データを統一したフォーマットでＩＣカードの定められたエリアに格納するため、残高表示器のように機能が限られた表示装置においても、簡単な制御手順で必要なアプリケーション情報をＩＣカードから取得して、かつ、表示させることができる。さらに、各アプリケーションを表示させる制御プログラムは共通化することができるため、ＩＣカードに新たにアプリケーションを追加した場合も、表示装置の制御プログラムを変更することなく新しいアプリケーションの表示が可能である。そのため、従来のように表示装置にフラッシュメモリ等を使用せずに複数アプリケーションへの対応が可能となった。また、上記のＩＣカードに格納されたアプリケーション情報を書き換える端末装置においては、上記のＩＣカードの構成に対応した情報の書き換えが可能となった。
【００１５】
【発明の実施の形態】
本発明の実施例を図１〜図２０を用いて説明する。
【００１６】
図１は本発明を用いた表示装置の一実施例であり、ＩＣカード内に格納された複数のアプリケーションの情報を表示するための表示装置の構成図である。１は表示装置、２は表示部、３は演算処理部、４はキー、５はＩＣカード読み取り部、６はＩＣカード、７は表示装置との接続部、８は演算処理部、９はＩＤ番号記憶部、１０は金額情報記憶部、１１はポイント情報記憶部１、１２はポイント情報記憶部２、５０はＲＯＭ（Ｒｅａｄ  Ｏｎｌｙ  Ｍｅｍｏｒｙ）、６０はＲＯＭ５０に記憶された共通表示制御プログラムである。
【００１７】
まず始めに、図２０を用いて、本発明が用いられるＩＣカードシステムの概要について説明する。本発明で用いられるＩＣカードは複数のアプリケーション情報を格納できるマルチアプリケーション対応のＩＣカードである。電子マネーなどのアプリケーション情報は常にＩＣカードに格納されている。例えば、客がＩＣカード６を店に持って行き、買い物をする。その際、店側も客から支払われる電子マネー情報を格納するためのＩＣカード３３が必要となる。店に設置されたＰＯＳ端末２５には特定のアプリケーションに関するプログラムが記憶されていて、特定のアプリケーションに関するＩＣカード間の情報の取り引きを行なう。得られた売り上げ金等は通信回線等を介して銀行へ送金することも可能である。また、表示装置１は取り引きにより更新されたＩＣカードの情報をアプリケーションを問わずに表示させることができるものである。
【００１８】
次に、図２及び図３を用いてＩＣカード内のデータ構成について説明する。ＩＣカードに関しては、ＩＳＯ７８１６で規格化されており、Ｍａｓｔｅｒファイル（以下、ＭＦ）、Ｄｉｒｅｃｔｏｒｙファイル（以下、ＤＩＲ  ｆｉｌｅ）、Ａｎｓｗｅｒ  Ｔｏ  Ｒｅｓｅｔファイル（以下、ＡＴＲ  ｆｉｌｅ）、Ｄｅｄｉｃａｔｅｄファイル（以下、ＤＦ）、Ｅｌｅｍｅｎｔａｒｙファイル（以下、ＥＦ）の５種類のファイルから構成される。
【００１９】
ＩＣカードに電源を投入後にクロック信号とリセット信号を供給すると、ＩＣカードは活性化されてＩＣカード内の様々なアプリケーションが利用可能となる。この場合、ＩＣカード活性化直後は、図２のＭＦ１３が選択される。また、ＩＣカードを活性化の際には、ＩＣカードからＡｎｓｗｅｒ  Ｔｏ  Ｒｅｓｅｔ信号（以下、ＡＴＲ）が表示装置に返されるが、このＡＴＲに格納できるデータの容量が限られているため、格納できなかった追加データが図２のＡＴＲ  ｆｉｌｅ１４に格納される。さらに、ＩＣカードに格納されたアプリケーションの一覧情報は、図３に示すようにレコード番号毎にＤＩＲ  ｆｉｌｅ１５に格納される。このＤＩＲ  ｆｉｌｅに示された各アプリケーションは、それぞれ図２のＤＦ１６〜１８に格納されるが、各アプリケーションに関連するデータを図２のＥＦ１９〜２１に格納して利用することも可能である。
【００２０】
ユーザーが表示装置に表示させたいアプリケーションを選択する場合は、まず始めにＩＳＯ７８１６で定義されたＳｅｌｅｃｔ  Ｆｉｌｅコマンドを用いてＤＩＲ  ｆｉｌｅを選択し、ＩＣカード内でＭＦからＤＩＲ  ｆｉｌｅに移動する。そして、同様にＩＳＯ７８１６で定義されたＲｅａｄ  ＤＩＲ  ＲｅｃｏｒｄコマンドでＤＩＲ  ｆｉｌｅ内の一覧情報を見て、ＩＣカードに格納されているアプリケーションを確認する。なお、このアプリケーションには、ＩＣカード内の残高情報などを制御するための残高情報制御手段が格納されている。所望のアプリケーションが格納されている場合は、Ｓｅｌｅｃｔ  Ｆｉｌｅコマンドに各アプリケーションのＩＤ（以下、ＡＩＤ）を設定して任意のアプリケーション（ＤＦ）に移動する。そして、各アプリケーションプログラムを動作させて、アプリケーション情報を表示させる。
【００２１】
図１では、ＩＣカード６内に金額情報記憶部、ポイント情報記憶部１、ポイント情報記憶部２が格納されているが、ここでは、図２、３のアプリ１が電子マネー情報を制御するためのアプリケーションであり、電子マネー情報を格納する金額情報記憶部１０は図２ではＥＦ１９に相当する。また、例えばデパートなどで買い物時に発行されるポイント情報は、ポイント情報記憶部１に格納されるが、図２、３のアプリ２がポイント情報を制御するためのアプリケーションであり、図１のポイント情報記憶部１は図２ではＥＦ２０に相当する。さらに、例えば航空機に搭乗する際に発行される搭乗距離のポイント情報は、ポイント情報記憶部２に格納されるが、図２、３のアプリ３が搭乗距離のポイント情報を制御するためのアプリケーションであり、図１のポイント情報記憶部２は図２ではＥＦ２１に相当する。
【００２２】
なお、図１のＩＤ番号記憶部９はＩＣカードに固有のＩＤ番号を格納する場所であり、各アプリケーションではこのＩＤ番号を利用してＩＣカードの認証を行うことが可能となる。
【００２３】
図１でユーザーがアプリケーション情報を表示させたい場合は、カード読み取り部５、接続部７を介してＩＣカードから供給される電子マネー情報やポイント情報の表示文字データをＲＯＭ５０に記憶された共通表示制御プログラム６０により演算処理部３が処理して、表示部２にデータを表示させる。ユーザーは表示部２の内容を見て、キー４の操作により所望のアプリケーション情報を選択する。
【００２４】
次に、図４を用いてＩＣカード内の各アプリケーション情報の表示例の１例を説明する。ユーザーが表示装置１にＩＣカード６を挿入すると、まず、ＤＩＲ  ｆｉｌｅのレコード番号１に登録されたアプリ１が選択される。この場合、アプリ１は電子マネーに関するアプリケーションなので、表示内容が電子マネー情報であること（Ｅ−ＭＯＮＥＹ）、格納された残高情報が日本円で１０００円であること（１，０００、ＪＰＹ）が示される。なお、表示装置のキー１を押すことにより、次々と電子マネー情報が切り替わるものとする。
【００２５】
ここで、表示装置のキー２を押すと、ＤＩＲ  ｆｉｌｅのレコード番号２に格納されたアプリ２が選択される。この場合、アプリ２はデパートのポイント情報に関するアプリケーションなので、表示内容がポイント情報であること（ここではデパート名のＡ−ＳＨＯＰ）、格納されているポイント数が３００００ポイントであること（３０，０００Ｐ）が示される。この場合も、表示装置のキー１を押すことにより表示が切り替わる。
【００２６】
ここでさらに、表示装置のキー２を押すと、ＤＩＲ  ｆｉｌｅのレコード番号３に格納されたアプリ３が選択される。この場合、アプリ３は航空機の搭乗距離のポイント情報に関するアプリケーションなので、表示内容がポイント情報であること（ここでは航空会社名のＢ−ＦＬＩＧＨＴ）、格納されているポイント数が２２０００ポイントであること（２２，０００Ｍ）が示される。この場合も、表示装置のキー１を押すことにより表示が切り替わる。なお、各アプリケーションの区別をするため、表示の際には一番左端にＤＩＲ  ｆｉｌｅのレコード番号を表示するものとする。
【００２７】
図５には、キーを２個用いた場合の表示切り替えの動作フローを示す。ここでは、アプリ１とアプリ２の二つのアプリケーションを表示する場合を示している。ＩＣカードを表示装置に挿入すると（１０２）、まず、アプリ１の第１画面が表示される（１０３）。ここで、キー１を押すと（１０５）、アプリ１の次画面が表示され（１０６）、また、最後の画面でキー１を押すとアプリ１の第１画面が表示される。
【００２８】
アプリ１の画面でキー２を押すと（１０７）、アプリ２の第１画面が表示される（１０８）。この場合もキー１及びキー２で同様にアプリ２の表示が切り替わる。
【００２９】
次に図６を用いて、ユーザーが電子マネーで支払い、かつ、上記したデパートのプレミアムポイントを受け取る際の具体的な処理の流れを説明する。ユーザーがお店のＰＯＳ端末にＩＣカードを挿入して（２０２）、キー操作により金額の支払いをＯＫすると（２０４）、ＩＣカード内の演算処理部８は金額情報記憶部１０に格納されている電子マネーの残高情報を読み取る（２０５）。その後、演算処理部８で金額の支払いが可能かどうかを判断し（２０６）、残高が足りない場合は残高不足の表示をして（２０７）、処理を終了する。一方、支払いが可能な場合は金額情報記憶部１０の残高情報を更新する（２０８）。また、支払金額に応じたポイント情報をユーザーに渡すために、ポイント情報記憶部１を更新する（２０９）。ここで、支払いを終了する場合はＩＣカードが排出されて（２１１）、処理が終了する。
【００３０】
次に、図７〜図９を用いて表示装置に表示させるアプリケーション情報のＩＣカード内への具体的な格納方法について説明する。ここでは、表示装置に表示させるための文字データと上記で説明した電子マネー情報、ポイント情報などの実際のデータは、別々の場所に格納されているものとする。つまり、電子マネー情報、ポイント情報などの実際のデータは、それぞれ図１に示されるＩＣカード６内の金額情報記憶部やポイント情報記憶部１、２及び図２に示されるＥＦ１９〜ＥＦ２１に格納されるが、表示のためのアプリケーション情報は、文字データとして図７〜図９に示す方法で格納されるものとする。
【００３１】
図７はＩＣカード内のＤＩＲ  ｆｉｌｅ内にアプリケーション情報を格納する場合の一例である。表示装置がＩＣカードに図７（ａ）に示すコマンド（Ｒｅａｄ  ＤＩＲ  Ｒｅｃｏｒｄコマンド）を送出すると、ＩＣカードは図７（ｂ）に示す長さｘ２バイトのレスポンスデータ（Ｒｅａｄ  ＤＩＲ  Ｒｅｃｏｒｄレスポンス）を表示装置に送出し、その後でレスポンスデータが正常か異常かを示すステータス情報（Ｓｔａｔｕｓ）を２バイト送出する。このコマンド、レスポンスデータはＩＳＯ７８１６で規格化されたものであり、ｘ１にはＤＩＲ  ｆｉｌｅ内の読み出したいアプリケーションのレコード番号を入力する。
【００３２】
ここで、レスポンスデータの構成に関してもＩＳＯ７８１６で規格化されており、データを識別するための情報（Ｔａｇ）が１バイト、それに続いてレコードデータ長を示す情報（Ｌｅｎｇｔｈ）が１バイト、さらにＬｅｎｇｔｈで示されたレコードデータ情報（Ｒｅｃｏｒｄｓ）の３つの情報から成る構成（以下、ＴＬＶ構成）で成り立っている。
【００３３】
各アプリケーションのレスポンスデータは、先頭が“６１”のＴａｇで始まり、次にレスポンスデータ長（ｘ２バイト）から２バイト差し引いた値がＬｅｎｇｔｈに示される。その後、“４Ｆ”のＴａｇでアプリケーションＩＤ（ＡＩＤ）が示される。なお、ここでアプリケーションのより詳細な情報を格納するためにＴＬＶ構成でその他の情報を格納してもよい。
【００３４】
その後、電子マネー情報やポイント情報などのアプリケーション情報をＤＩＲｆｉｌｅに格納するが、ここでは例えば、先頭が“５０”のＴＬＶ構成でＤａｔａ１、Ｄａｔａ２などのアプリケーション情報を格納するものとする。この場合、例えば各アプリケーションデータをアスキーコードで格納し、アスキーコードの文字情報をそのまま表示装置で表示させることで、様々なアプリケーションで統一して表示させることが可能となる。
【００３５】
なお、各アプリケーションで複数のデータ（例えば、アプリケーション名、金額情報、通貨の種類など）を表示させたい場合は、それぞれのデータを先頭“５０”のＴＬＶ構成でＤＩＲ  ｆｉｌｅに格納することにより、順次表示が可能である。例えば、図４に示す表示例の場合、電子マネーに関するデータはＤａｔａ１に“Ｅ−ＭＯＮＥＹ”、Ｄａｔａ２に“１，０００”、Ｄａｔａ３に“ＪＰＹ”の各アスキー文字データが格納される。
【００３６】
なお、上記ではＤＩＲ  ｆｉｌｅ内にアプリケーション情報を格納したが、同様な考え方で、図２のＡＴＲ  ｆｉｌｅ１４内に各アプリケーションの表示データを格納することも可能である。この場合は、ＩＳＯ７８１６で定義されたＲｅａｄ  Ｂｉｎａｒｙコマンド、レスポンスを用いてデータの取得を行う。
【００３７】
次に、図８ではアプリケーションを選択する際に用いるＳｅｌｅｃｔ  Ｆｉｌｅコマンドのレスポンスデータにアプリケーション情報を格納する場合の一例を説明する。なお、各アプリケーションには、ＩＣカード内の残高情報などを制御するための残高情報制御手段が格納されている。ここでは、ＩＳＯ７８１６で規格化されたＦｉｌｅ  Ｃｏｎｔｒｏｌ  Ｉｎｆｏｒｍａｔｉｏｎ（以下、ＦＣＩ）を用いてアプリケーション情報を格納する。この場合、コマンド、レスポンスデータも同様にＩＳＯ７８１６で規格化されており、ｘ１バイトの長さのＡＩＤをＩＣカードに送ることにより、レスポンスデータ（Ｓｅｌｅｃｔ  Ｆｉｌｅレスポンス）としてｘ２バイト長のＦＣＩデータ及びステータス情報（Ｓｔａｔｕｓ）がＩＣカードから表示装置に返される。
【００３８】
なお、ＦＣＩデータはＴＬＶ構成になっており、先頭のＴａｇが“６Ｆ”、ＡＩＤのＴａｇが“８４”で示される。また、アスキーコードで示される各アプリケーション情報は、例えば先頭が“５０”のＴａｇで始まるものとし、順次表示装置に示される。
【００３９】
最後に、図９では上記ＩＳＯ７８１６で規格化されたコマンド、レスポンスデータとは異なる独自のデータを用いて各アプリケーション情報を格納する場合を説明する。この場合、まず始めに、上記Ｓｅｌｅｃｔ  Ｆｉｌｅコマンドでユーザーが表示させたいアプリケーションを選択する。その後、独自のデータをＩＣカードに送信することで（Ｇｅｔ  Ｆｉｌｅ  Ｄａｔａコマンド）、ユーザーが表示させたいアプリケーションデータをＩＣカードから受信する。なお、コマンド、レスポンスの構成自体はＩＳＯ７８１６に準ずるものとし、図９に示すようにｘ２バイト長のレスポンスデータ（Ｇｅｔ  Ｆｉｌｅ  Ｄａｔａレスポンス）が表示装置に送られる。
【００４０】
なお、各データはＴＬＶ構成になっており、例えば、先頭のＴａｇが“６１”、ＡＩＤのＴａｇが“４Ｆ”で示されるものとする。また、アスキーコードで示される各アプリケーション情報は、例えば先頭が“５０”のＴａｇで始まるものとし、順次表示装置に示される。
【００４１】
以上、表示装置に表示させるアプリケーション情報のＩＣカード内への格納方法について説明したが、これら格納された情報はあくまでも表示装置に表示させるための文字データであり、上記で説明したように、例えば電子マネー情報、ポイント情報などの実際のデータはそれぞれ図１に示されるＩＣカード６内の金額情報記憶部やポイント情報記憶部１、２及び図２に示されるＥＦ１９〜ＥＦ２１に格納されるものとする。これは、一つの表示装置で簡単に読み出すことができる場所に格納された表示データに対し、実際に金額やポイントとしての価値を持つ実際のデータはそれぞれのアプリケーションに対応した端末でのみ読み出すことができることである。即ち、重要度の高い実際のデータを保護しつつ、表示データのみを簡単に表示させることができる。この場合、各データは暗号化したデータで格納することも可能である。また、上記文字データに関しても、暗号化したデータでＩＣカード内に格納することも可能である。
【００４２】
なお、簡単な表示内容であればＩＣカード内に上記金額情報記憶部やポイント情報記憶部などを置かずに、これらの文字データのみをＩＣカード内に格納することも可能である。
【００４３】
次に、表示装置に表示させるための各アプリケーション情報の更新について説明する。ユーザーが電子マネーを使って取り引きを行い、さらにお店からポイント情報を受け取る場合などは、表示装置に表示させるための上記文字データも随時更新させる必要がある。そこで、ＩＣカード６内の演算処理部８は、金額情報記憶部、ポイント情報記憶部１、２などを更新する際に上記データも同時に更新するように制御することにより、随時表示文字データも更新される。この場合、表示のための文字データは、演算処理部８がＩＣカードの内部で自動的に処理することで変更されるが、ＩＣカードの外部から内容を変更することはできず、読み出し専用の文字データとなる。そのため、不正に表示のための文字データを改ざんすることはできない。
【００４４】
一方、図１０〜図１２に示す例は、商取引時に販売店が使用するＰＯＳ端末などが独自のコマンドをＩＣカードに送信することにより、上記表示データを変更する１例である。この場合、電子マネー情報やポイント情報の商取引後にこれらのコマンドをＩＣカードに送信して表示文字データの更新も行う。
【００４５】
図１０では、ＤＩＲ  ｆｉｌｅに格納したアスキーコードの文字データを更新するためのコマンド、レスポンスデータについて説明する。この場合、コマンド、レスポンスデータの構成はＩＳＯ７８１６に準ずるものとする。また、ｘ３バイトに更新したいアプリケーションのレコード番号を格納し、ｘ５バイト長のコマンドデータ（Ｃｈａｎｇｅ  ＤＩＲ  Ｒｅｃｏｒｄコマンド）をＩＣカードに送って表示データを更新する。
【００４６】
コマンドデータの構成は、例えばＴａｇ“６１”で始まり、“４Ｆ”のＴａｇでＡＩＤを格納した後に、“５０”のＴａｇで更新したいデータの旧データ、“５５”のＴａｇで更新したいデータの新データを格納するものとする。コマンドデータをＩＣカードに送信すると、更新結果がステータス情報（Ｓｔａｔｕｓ）として２バイト送り返される。
【００４７】
なお、旧データと新データの送信方法に関しては、更新したいデータのみ新旧データを送る場合と、全てのデータに関して新旧データを送る場合とがある。
【００４８】
次に、図１１では、Ｓｅｌｅｃｔ  ＦｉｌｅコマンドのレスポンスデータにＦＣＩとしてアスキーコードの文字データを格納した場合の更新方法について説明する。この場合も、コマンド、レスポンスデータの構成はＩＳＯ７８１６に準ずるものとする。また、ｘ５バイト長のコマンドデータ（Ｃｈａｎｇｅ  ＦＣＩ  Ｒｅｃｏｒｄコマンド）をＩＣカードに送って表示データを更新する。
【００４９】
コマンドデータの構成は、例えばＴａｇ“６Ｆ”で始まり、“８４”のＴａｇでＡＩＤを格納した後に、“５０”のＴａｇで更新したいデータの旧データ、“５５”のＴａｇで更新したいデータの新データを格納するものとする。コマンドデータをＩＣカードに送信すると、更新結果がステータス情報（Ｓｔａｔｕｓ）として２バイト送り返される。
【００５０】
最後に、図１２を用いて、ＩＳＯ７８１６には定義されていないコマンド（ここではＧｅｔ  Ｆｉｌｅ  Ｄａｔａコマンド）のレスポンスデータに格納した文字データを更新する場合について説明する。この場合も、コマンド、レスポンスデータの構成はＩＳＯ７８１６に準ずるものとする。また、ｘ５バイト長のコマンドデータ（Ｃｈａｎｇｅ  Ｆｉｌｅ  Ｄａｔａコマンド）をＩＣカードに送って表示データを更新する。
【００５１】
コマンドデータの構成は、例えばＴａｇ“６１”で始まり、“４Ｆ”のＴａｇでＡＩＤを格納した後に、“５０”のＴａｇで更新したいデータの旧データ、“５５”のＴａｇで更新したいデータの新データを格納するものとする。コマンドデータをＩＣカードに送信すると、更新結果がステータス情報（Ｓｔａｔｕｓ）として２バイト送り返される。
【００５２】
なお、上記では旧データを新データに更新する場合を例にして説明したが、更新のためのコマンドデータの内容としては、新データのみを送信して常に新データに書き換えるように制御してもよい。また、表示データを追加させたい場合は、例えば先頭が“５５”で始まるＴＬＶ構成のデータを追加することで対応可能である。さらに、上記更新コマンドを用いる時は、表示データの不正変更を防ぐためにユーザーが暗証番号を正しく入力しないと表示データの変更ができないように制御してもよい。
以上により、ＩＣカードに格納された文字データを更新することができるが、通常、セキュリティを高めるためには、上記のようにＰＯＳ端末などがＩＣカードにコマンドを送ることで表示データの更新を行うのではなく、ＩＣカード内の演算処理部８が表示文字データも更新するように制御して、表示文字データは読み出し専用にする方が望ましい。
【００５３】
図１８は商取引時に販売店などが使用するＰＯＳ端末などの情報書き換え装置でのＩＣカード内のアプリケーション情報の更新に関するものである。ここでは、ＰＯＳ端末２５を介して客ＡのＩＣカード６と店ＢのＩＣカード３３との電子マネー情報やポイント情報などのやり取りを例に説明する。
【００５４】
客Ａは図１に示すＩＣカード６を持って店Ｂに買い物に行く。客ＡのＩＣカード６は金額情報記憶部１０に電子マネー情報を格納しており、ポイント情報記憶部１１には店Ｂのポイント情報を格納しているとする。一方、店Ｂも客Ａの持つＩＣカードと同様のＩＣカード３３を持ち、金額情報記憶部３７には売上金としての電子マネー情報が格納され、ポイント情報記憶部３８には客に配布するためのポイント情報が格納されている。客Ａが商品を購入するとき、客ＡはＩＣカード６のコネクタ７とＰＯＳ端末２５のカード読み書き部３１を接続させる。一方、店ＢもＩＣカード３３のコネクタ３４をＰＯＳ端末のカード読み書き部３２に接続させる。ここでＰＯＳ端末のキー２７により商品の販売金額を入力し、取り引きの指示を行なう。ＰＯＳ端末への指示やＰＯＳ端末からの応答は表示部２６で随時、確認できる。上記の指示を受け、ＰＯＳ端末の演算処理部２８の制御により、ＩＣカード６の金額情報記憶部１０に格納されていた金額情報がＩＣカード３３の金額情報記憶部３７に移動される。またその後、ＩＣカード３３のポイント情報記憶部３８より販売金額に応じたポイント情報がＩＣカード６のポイント情報記憶部１１に移動される。上記のやり取りで、客Ａは店Ｂに商品代金を支払いをし、その金額に応じたポイントを店Ｂから獲得できる。
【００５５】
取り引きの来歴を売り上げ情報記憶部３０に記録させておくことも可能である。またモデム２９を用いて、金額情報やポイント情報等を外部の銀行やセンター等との間でやり取りを行なうことも可能である。
【００５６】
この際、上記の表示装置に表示させるための文字データは、更新された金額情報やポイント情報等の実際のデータの値をもとにそれぞれのＩＣカード内の演算処理部により更新される。
【００５７】
また、表示させるための文字データと電子マネー情報、ポイント情報などの実際のデータは、同時に書き換えることができないため、通常は実際のデータを書き換えた後で文字データの更新を行う。そのため、実際のデータと文字データの更新には時間差が生じてしまい、処理終了前に間違ってカードを引き抜いた場合や悪意を持ってカードを引き抜いた場合などは、実際のデータは書き換えられるが文字データは書き換えられずに取引前のデータが残ることが有り得る。
【００５８】
そこで、商取引時にＰＯＳ端末を使って電子マネーやポイントなどの残高データを書き換える際には、実際のデータと文字データとが共に書き換えられて、両者の値が一致した場合にのみ正常終了となるように端末を制御することにより、上記を防ぐことが可能となる。具体的には、両者の値が一致したことをＰＯＳ端末が確認した後でカードを自動排出するように制御したり、両者が一致した後で処理終了のメッセージを表示部に出すなどが考えられる。また、文字データが改竄されたカードを早期に発見するために、両者が一致していないカードをＰＯＳ端末に挿入した場合には、商取引が不可となるように制御することも可能である。
【００５９】
次に、図１３を用いて、上記表示データをＩＣカードから取得する際の処理の流れを説明する。ユーザーがＩＣカードを表示装置に挿入すると（３０２）、ＩＣカードに電源が供給されて、その後、クロック信号とリセット信号が供給されてＩＣカードが活性化される（３０３）。その後、ＩＣカードからＡＴＲ信号が表示装置に送られる（３０４）。
【００６０】
表示装置は、まず始めにＳｅｌｅｃｔ  ＦｉｌｅコマンドをＩＣカードに送信して、ＤＩＲ  ｆｉｌｅを選択する（３０５）。次に、Ｒｅａｄ  ＤＩＲ  ＲｅｃｏｒｄコマンドをＩＣカードに送信して（３０６）、ＤＩＲ  ｆｉｌｅに格納されているアプリケーション情報を読み取る。
【００６１】
ここで、上記図７に示したように、ＤＩＲ  ｆｉｌｅ内に各アプリケーションの表示データを格納する場合は、このＲｅａｄ  ＤＩＲ  Ｒｅｃｏｒｄコマンドのレスポンスデータを読み取って所望のアプリケーションデータを表示させる。一方、Ｒｅａｄ  ＤＩＲ  ＲｅｃｏｒｄコマンドをＩＣカードに送信した後（３０７）、Ｓｅｌｅｃｔ  Ｆｉｌｅコマンドを所望のアプリケーションのＩＤ（ＡＩＤ）と共にＩＣカードに送信して（３０８）、所望のアプリケーションを選択する場合もある。
【００６２】
上記図８に示したように、Ｓｅｌｅｃｔ  Ｆｉｌｅコマンドのレスポンスデータに各アプリケーションの表示データを格納する場合は、このＳｅｌｅｃｔ  Ｆｉｌｅコマンドのレスポンスデータ（ＦＣＩデータ）を読み取って所望のアプリケーションデータを表示させる。また、上記図９に示す場合は、所望のアプリケーションを選択後に、Ｇｅｔ  Ｆｉｌｅ  ＤａｔａコマンドをＩＣカードに送信して（３１１）、レスポンスデータを取得して表示データを読み取る。
【００６３】
ここで各アプリケーション固有のコマンドをＩＣカードに送ることにより、ＥＦ内のアプリケーション固有データを読取ることもできる（３１２）。この場合、各データは暗号化されているが、表示データではなく電子マネー情報やポイント情報などの実際のデータも読出し可能となる。また、各アプリケーションに固有のコマンドではアプリケーション情報の読出しのみならず、更新も行なうことができる。
【００６４】
ここで、さらに次のデータを表示させる場合は、同様に処理することで次のデータを表示させる。また、表示を終了する場合は、ＩＣカードへの電源、クロック信号、リセット信号の供給を停止してカードを不活性化させた後に（３１４）、ＩＣカードを排出して（３１５）、処理を終了（３１６）する。
【００６５】
図１７は表示データと電子マネー情報やポイント情報などの実際のデータと表示データの格納場所を示す。上記、図１３を用いて説明した図７、図８及び図９に対応する表示データの格納場所を示す。
【００６６】
次に、図１４を用いて表示装置のキー入力について説明する。図４に示す実施例では、キー１、キー２を押して表示を切り替えていたが、キー１のみで表示切り替えを行ってもよい。この場合、例えば図１４に動作フローを示すように、キーを一定時間ｔ１より短く押した場合は同一アプリケーション内で表示を切り替え、また、キーをｔ１以上押した場合はアプリケーションを切り替えるように制御すれば、１個のキーで複数アプリケーションの表示切り替えが可能である。
【００６７】
なお、上記のようにキーを押す時間を検出する場合に加えて、キーを押す回数を検出する場合もあり得る。この場合、例えばキーを１回のみ押した場合は同一アプリケーション内で表示を切り替え、キーを連続して２回以上押した場合はアプリケーションを切り替えるように制御する。また、キーを１回押したら同一アプリケーション内で次の表示に切り替え、キーを２回押したら同一アプリケーション内で前の表示に切り替え、キーを３回押したら他のアプリケーションに切り替えるなどキーを押す回数で制御を細かく分けてもよい。さらに、上記のように表示装置にキーを備えずに、端末が一定時間毎に表示を自動的に切り替えるように制御してもよい。
【００６８】
次に、上記表示文字データエリアのその他の使用方法について説明する。上記では、表示文字データエリアに、アプリケーションサービス名、金額情報、通貨の種類、ポイント情報などを格納したが、例えば、ユーザーがメモ書きの記録エリアとして自由に利用することも可能である。例えば、電子マネーを利用して買い物をした後で、電子財布端末などで上記エリアにメモ書きをすることで、ユーザーが家に帰ってから家計簿を書く際にこのメモ書きを利用することができる。この場合、電子財布端末が上記図１０〜図１２に示すコマンドをＩＣカードに送信することでメモ書きをＩＣカードに記録することが可能である。
【００６９】
また、上記エリアに各アプリケーションへのアクセス回数を記録して、利用回数の多いアプリケーションから順番に表示装置に表示させることも可能である。
【００７０】
特に、図７に示すように、ＤＩＲ  ｆｉｌｅ内にデータを記録する場合は、まず始めに表示装置の演算処理部３がＤＩＲ  ｆｉｌｅに格納された利用回数を各アプリケーション毎に読み取り、その後、利用回数の多いものから順に表示するように制御すればよい。この場合、ＩＣカード内に各アプリケーションの利用状況を記録するので、表示装置を変更しても利用回数の順番に表示させることができる。なお、アプリケーションの利用頻度は、上記のようにＩＣカードには格納せずに、表示装置側のメモリに格納してもよい。
【００７１】
次に、表示内容の自動切り替えについてさらに説明する。上記の例では、キー操作により表示内容を切り替えたが、一定時間毎に表示内容を自動的に切り替えてもよい。この場合、表示装置はキーを備えなくてもよい。また、表示装置がキーを備えた場合は、キーを押すことにより自動表示切り替えを停止させて、かつ再度キーを押すことにより、自動表示切り替えを開始するように制御することもできる。
【００７２】
また、現状では、表示装置の電源オフは一定時間後に行うように制御する場合が多いが、全てのアプリケーション情報を表示後に自動的に電源オフにすることも可能である。
【００７３】
次に、図１５を用いてＩＣカード内への表示データの格納方法のその他の１例を示す。
【００７４】
上記では、ＤＩＲ  ｆｉｌｅ等のＩＣカード内の特定ファイルにＴＬＶ構成で各表示文字データをそれぞれ格納する場合を説明したが、図１５に示すように、＠ＮＥＸＴや＠ＥＮＤ等の特定文字列を使って表示文字を区別することもできる。
【００７５】
例えば、図７に示すコマンドを用いる場合は、レスポンスデータの中でＴａｇ“５０”で始まる文字列に図１５に示すような書式で文字データを格納する。この場合、ＤＩＲ  ｆｉｌｅのレコード番号１から３に図１５の各文字データを格納することで、図４に示すような表示装置への表示が可能となる。また、図８に示すコマンドを用いる場合は、Ｓｅｌｅｃｔ  Ｆｉｌｅコマンドで各アプリケーションを選択する際に、それぞれレスポンスデータの中に図１５のデータを格納する。なお、＠ＮＥＸＴは次に表示データが続く場合を示し、＠ＥＮＤは最後の表示データであることを示す。
【００７６】
また、図９に示すコマンドを用いる場合は、同様にＴａｇ“５０”で始まる文字列に図１５のデータを格納してもよいが、Ｔａｇは用いずに図１５のデータのみをレスポンスの中に格納してもよい。
【００７７】
図１９に示す表示装置４０は、図１の表示装置において、特定のアプリケーションに関しての機能を拡充したものである。図１と同様のＩＣカード６をカード読み書き部４４に接続して使用する。ＩＣカードに格納するアプリケーションの例として電子マネー情報やプレミアムポイント情報などを挙げたが、電子マネー情報は商取引の際には常に用いられ、最も利用頻度が高く、その上、最も重要な情報であると考えられる。そこで、電子マネーに関しては図１で示した共通表示制御プログラム６０に加え、電子マネーを扱うアプリケーションに専用の電子マネープログラム７０をＲＯＭ５０'にあらかじめ記憶させておくことも有用である。
【００７８】
専用の電子マネープログラム７０を置くことで表示装置４０は図１７の縦線で示された場所に格納された実際のデータを読取ることができる。これにより、現在の残高情報を見るだけでなく、取り引きの来歴（日時、相手、金額）なども読取ることが可能である。また、キー４３からのパスワードの入力により電子マネー情報をロックしたり、それを解除することもできる。ただし、安価な表示装置として用いられるため、カード間の電子マネー情報のやり取りは行なわれない。
【００７９】
もちろん、電子マネー以外のアプリケーションに関しては、図１の表示装置１と同様に、残高情報などの表示データを共通表示制御プログラムで表示させることができる。
【００８０】
最後に図１６を用いて、ＩＣカードへのアプリケーションの登録に関して説明する。ユーザーがＩＣカードに新たにアプリケーションを登録する場合、例えば、図１６に示すようなＩＣカードアプリケーション書き込み装置２２を用いることで可能である。この場合、ユーザーが書き込み装置２２にＩＣカードを挿入し、選択キーを用いることで所望のアプリケーションをＩＣカードに登録することができる。この場合、書き込み装置２２は電話回線等でＩＣカードアプリケーション提供会社２３、２４と接続しており、電話回線を用いて所望のアプリケーションプログラムを提供会社からダウンロードする。ＩＣカードにアプリケーションプログラムを書き込む際には、表示のための文字コードデータも上記のようにＩＣカード内の共通エリアに書き込まれる。また、ＩＣカードアプリケーション書き込み装置に予め複数のアプリケーションを記憶させておき、ユーザーがその中からアプリケーションを選択して、ＩＣカードに書込む場合もある。
【００８１】
なお、図１６では、アプリケーション登録用の専用端末を店頭などにおいてユーザーが使用する場合を説明したが、家庭のパソコンを電話回線などで提供会社に接続して、アプリケーションをダウンロードしてＩＣカードに登録することも可能である。
【００８２】
以上、図１から図１６に示す実施例では、接点により信号のやり取りを行う接触式のＩＣカードについて説明したが、非接触式のＩＣカードにおいても同様に共通エリアに文字コードで情報を格納して、表示装置で表示させることも可能である。
【００８３】
また、実施例では電子マネー情報やプレミアムポイント情報などの商取引時の残高情報について説明したが、健康保険証の使用情報、図書館の貸し出し情報、運転免許証などの商取引を伴わない記録情報についても同様なアプリケーション情報として扱うことが可能である。
【００８４】
【発明の効果】
本発明では、１枚のＩＣカード内に電子マネー情報と共にプレミアムポイント情報などの複数のアプリケーション情報を格納し、ユーザーが必要なアプリケーション情報をキー操作などで選択することにより、必要な情報をユーザーが随時表示装置に表示させることが可能になる。この場合、表示のための文字データを統一したフォーマットでＩＣカード内の定められたエリアに格納することにより、残高表示器のように表示パネルやキー等の機能が限られた表示装置においても、複雑な手順を行わずに各アプリケーション情報を表示させることができる。これにより、実際に取り引きの対象となる重要度の高いエリアのデータを保護しつつ、そのデータの内容を表示させることができる。特に、上記ＤＩＲ  ｆｉｌｅ内にアプリケーション情報を格納する場合は、Ｓｅｌｅｃｔ  Ｆｉｌｅコマンドで各アプリケーションを選択せずに必要な情報が得られるため、簡単な手順で表示データをＩＣカードから取得することができる。
【００８５】
また、統一したフォーマットで表示データをＩＣカードに格納しているため、ＩＣカードから表示データを読み出すプログラムを各アプリケーションで共用することができる。そのため、ＩＣカードにアプリケーションを新たに追加した場合も、表示装置は制御プログラムの変更無しで対応可能である。そのため、高価なフラッシュメモリを用いなので、低価格で表示装置の製造ができる。
【００８６】
また、ＩＣカードに記憶させた情報を更新する端末装置において、更新すべきＩＣカード内の記憶エリアを明確にし、また、実際の取り引きの対象となるデータと表示のためのデータとの一致を確認することで、よりＩＣカードシステムの安全性を高め、確実にＩＣカードに記憶させた情報を更新できる。
【図面の簡単な説明】
【図１】本発明を用いたＩＣカード表示装置の構成図の１実施例である。
【図２】本発明で用いるＩＣカードのファイル構成の１例である。
【図３】本発明で用いるＩＣカードのＤＩＲ  ｆｉｌｅの構成の１例である。
【図４】本発明を用いたＩＣカード表示装置の表示方法の１実施例である。
【図５】本発明を用いたＩＣカード表示装置の動作フローの１例である。
【図６】本発明で用いるＩＣカードでの電子マネー情報及びポイント情報の更新時の動作フローである。
【図７】本発明を用いたＩＣカード表示装置での表示データの格納方法の１実施例である。
【図８】本発明を用いたＩＣカード表示装置での表示データの格納方法の他の１実施例である。
【図９】本発明を用いたＩＣカード表示装置での表示データの格納方法の他の１実施例である。
【図１０】本発明を用いたＩＣカード表示装置での表示データの更新方法の１実施例である。
【図１１】本発明を用いたＩＣカード表示装置での表示データの更新方法の他の１実施例である。
【図１２】本発明を用いたＩＣカード表示装置での表示データの更新方法の他の１実施例である。
【図１３】本発明を用いたＩＣカード表示装置での表示データ取得の際の動作フローの１例である。
【図１４】本発明を用いたＩＣカード表示装置の動作フローの他の１例である。
【図１５】本発明を用いたＩＣカード表示装置での表示データの格納方法の他の１実施例である。
【図１６】本発明で用いるＩＣカードでのアプリケーションの書き込み方法を示す１実施例である。
【図１７】本発明で用いるＩＣカードにおける、表示データの格納場所の１例である。
【図１８】本発明で用いるＩＣカードとＰＯＳ端末の接続方法を示す１例である。
【図１９】本発明を用いたＩＣカード表示装置の他の実施例である。
【図２０】本発明を用いるＩＣカードシステムの１例である。
【符号の説明】
１…表示装置、２…表示部、３…演算処理部、４…キー、５…カード読み取り部、６…ＩＣカード、７…接続部、８…演算処理部、９…ＩＤ番号記憶部、１０…金額情報記憶部、１１…ポイント情報記憶部１、１２…ポイント情報記憶部２、１３…ＭＦ（Ｍａｓｔｅｒ  Ｆｉｌｅ）、１４…ＡＴＲ  ｆｉｌｅ（Ａｎｓｗｅｒ  Ｔｏ  Ｒｅｓｅｔ  ｆｉｌｅ）、１５…ＤＩＲ  ｆｉｌｅ（Ｄｉｒｅｃｔｏｒｙ  ｆｉｌｅ）、１６〜１８…ＤＦ（Ｄｅｄｉｃａｔｅｄ  Ｆｉｌｅ）、１９〜２１…ＥＦ（Ｅｌｅｍｅｎｔａｒｙ  Ｆｉｌｅ）、２２…ＩＣカードアプリケーション書き込み装置、２３〜２４…ＩＣカードアプリケーション提供会社、２５…ＰＯＳ端末、２６…表示部、２７…キー、２８…演算処理部、２９…モデム、３０…売り上げ情報記憶部、３１〜３２…カード読み書き部、３３…ＩＣカード、３４…接続部、３５…ＩＤ番号記憶部、３６…演算処理部、３７…金額情報記憶部、３８…ポイント情報記憶部１、３９…ポイント情報記憶部２、４０…表示装置、４１…金額表示部、４２…演算処理部、４３…キー、４４…カード読み書き部、５０、５０' …ＲＯＭ（Ｒｅａｄ  Ｏｎｌｙ  Ｍｅｍｏｒｙ）、６０…共通表示プログラム、７０…電子マネープログラム。
【図１】
0003877890.tif 000002
【図２】
0003877890.tif 000003
【図３】
0003877890.tif 000004
【図４】
0003877890.tif 000005
【図５】
0003877890.tif 000006
【図６】
0003877890.tif 000007
【図７】
0003877890.tif 000008
【図８】
0003877890.tif 000009
【図９】
0003877890.tif 000010
【図１０】
0003877890.tif 000011
【図１１】
0003877890.tif 000012
【図１２】
0003877890.tif 000013
【図１３】
0003877890.tif 000014
【図１４】
0003877890.tif 000015
【図１５】
0003877890.tif 000016
【図１６】
0003877890.tif 000017
【図１７】
0003877890.tif 000018
【図１８】
0003877890.tif 000019
【図１９】
0003877890.tif 000020
【図２０】
0003877890.tif 000021